(57)【要約】【課題】原稿載置台の読取面をクリーニングすることで、読取面の汚損による画像情報の読取精度の低下を防止する。【解決手段】プラテンガラス１１ｂの下方から原稿を照射して原稿の画像光を第２走査体１４に反射する第１走査体１３の上面に係合部材２０ａを配置し、プラテンガラス１１ｂを摺動自在に支持する係合部材２０ｂに係合させることで、第１走査体１３の原稿読取位置Ｓ１からクリーニング手段３０の配置位置側への移動に伴ってプラテンガラス１１ｂを移動させる。【選択図】  図２
2005286586.tif 000002
【特許請求の範囲】
【請求項１】
透明な原稿載置台と、前記原稿載置台の読取面上を所定速度で移動する原稿の画像情報を該原稿載置台の読取面に対向する他面側から読み取る原稿読取手段と、を備えた原稿読取装置において、
前記原稿の主走査方向に直交する方向であって読取面に平行な方向に前記原稿載置台を移動させる移動手段と、
前記移動手段によって移動した前記原稿載置台の読取面をクリーニングするクリーニング手段と、を備えたことを特徴とする原稿読取装置。
【請求項２】
前記原稿読取手段は、前記原稿の主走査方向に直交する方向であって前記読取面に平行な方向に移動自在であり、
前記移動手段は、前記原稿読取手段の移動力を前記原稿載置台に伝達する伝達機構と、前記原稿載置台を前記原稿読取手段の移動方向とは逆方向に付勢する復帰手段と、を備えたことを特徴とする請求項１に記載の原稿読取装置。
【請求項３】
前記復帰手段は、弾性部材であることを特徴とする請求項２に記載の原稿読取装置。
【請求項４】
前記原稿読取手段は、原稿の画像情報の読み取りを行わない時に位置するホームポジションから原稿を読み取る際に前記原稿読取位置方向に移動し、
前記クリーニング手段は、前記ホームポジションに対して前記原稿読取位置側にあって前記原稿読取位置よりも該ホームポジションとの距離が離れていることを特徴とする請求項２に記載の原稿読取装置。
【請求項５】
前記読取手段は、前記原稿読取位置を超えて前記クリーニング手段の配置位置側に移動する移動力を伝達機構を介して前記原稿載置台に伝達することを特徴とする請求項４に記載の原稿読取装置。
【請求項６】
前記クリーニング手段は、前記移動手段によって移動した前記原稿載置台の読取面に当接する位置に配置されたブラシ又はフェルトで構成されたことを特徴とする請求項１に記載の原稿読取装置。
【請求項７】
前記原稿の画像情報の読み取り開始の直前に前記移動手段を動作させる制御手段を備えたことを特徴とする請求項１に記載の原稿読取装置。
【請求項８】
前記原稿の画像情報の読み取り終了直後に前記移動手段を動作させる制御手段を特徴とする請求項１に記載の原稿読取装置。
【請求項９】
前記原稿読取位置において前記読取手段によって前記原稿載置台に前記原稿がない状態で読み取られた画像情報に基づいて前記原稿読取位置における前記原稿載置台の読取面の汚損の有無を検出する検出手段を備え、
前記検出手段によって検出された結果に基づいて前記移動手段を動作させる制御手段を備えたことを特徴とする請求項１に記載の原稿読取装置。
【発明の詳細な説明】
【技術分野】
【０００１】
この発明は、複写機、スキャナ等のような画像入力装置に用いられる原稿読取装置に関する。
【背景技術】
【０００２】
原稿読取装置の原稿の画像情報の読取方式には、大別して、透明な原稿載置台の読取面上に載置された原稿に対し、原稿載置台の読取面に対向する他面側において光学ユニットを移動させつつ内部に備えられた光源を用いて原稿を露光して画像情報を読み取る原稿固定方式と、原稿載置台の読取面に対向する他面側の所定の原稿読取位置において、原稿搬送路上の一部を構成する原稿載置台の読取面上に所定の速度で搬送されてくる原稿を光源で露光して画像情報を読み取る原稿移動方式と、がある。
【０００３】
原稿移動方式の原稿読取装置は、原稿載置トレイ等に載置された複数の原稿を一枚一枚自動で原稿載置台の読取面上に搬送して原稿の画像情報を読み取るので、原稿固定方式の原稿読取装置のようにユーザが一枚一枚原稿を原稿載置台に載置しなくてもよい。
【０００４】
しかしながら、原稿移動方式の原稿読取装置は、原稿が所定の速度で原稿載置台の読取面上を通過していくので、読取面と原稿とが接触した際に原稿に付着している未定着材料、例えば未乾燥のボールペンインク、未乾燥の修正液等が読取面に付着して読取面を汚損してしまう問題があった。そのため、読み取った画像情報には、読取面の汚損による黒点、黒筋等のいわゆるノイズが含まれてしまう画像不良が生じていた。このような状態が放置されると、読取面の汚損が除去されるまで数枚又は数十枚に渡って、読み取った原稿の画像情報に画像不良が生じてしまう。
【０００５】
通常、ユーザは、原稿を原稿載置トレイ等に載置して原稿読取の開始要求の入力を行うだけで、読取面が汚損しているか否かを確認しない。そのため、例えば、ＦＡＸ送信を行う際、画像不良を含んだ状態で原稿の画像情報が相手先に送信されてしまい、送信された画像情報に基づいて用紙等に形成された画像は見難いものとなってしまう。
【０００６】
一方、原稿固定方式の原稿読取装置の場合は、原稿を一枚一枚原稿台に載置するので、ユーザが原稿載置台に原稿を載置する際に読取面を確認でき、読取面に汚損が生じていてもユーザがすぐに気づいて除去することができる。そのため、上記のような問題は生じ難い。
【０００７】
そこで、従来の原稿移動方式の原稿読取装置には、原稿を原稿載置台の読取面から僅かに浮かせた状態で搬送することで読取面の汚損を防止する構成のものがある（例えば、特許文献１参照。）。上述の特許文献１には、図５に示すように原稿載置台１００の読取面Ａ上に段差形成部材１０２を配置して原稿搬送路Ｒから搬送される原稿Ｐを読取面Ａよりも浮かせて原稿読取位置Ｓにおいて原稿の画像情報を読み取る構成が開示されている。また、図６に示すように原稿Ｐを吸引する用紙吸引部材１０４を原稿読取位置Ｓに対向するように配置して原稿Ｐを読取面Ａから浮かせて原稿読取位置Ｓにおいて原稿の画像情報を読み取る構成も開示されている。
【０００８】
さらに、原稿の画像情報を読み取る原稿読取手段を用いて原稿載置台の読取面上の汚損を検出し、その後に読み取られる原稿の画像情報中に含まれる読取面の汚損による画像情報を除去する補正を行う構成のものもある（例えば、特許文献２参照。）。
【特許文献１】特許第３１３４７７３号
【特許文献２】特開２００３−３１９１７５号公報
【発明の開示】
【発明が解決しようとする課題】
【０００９】
しかしながら、上述の特許文献１の構成では、原稿の種類が考慮されていないため、完全に読取面から浮かせた状態で原稿を搬送できない可能性がある。図５に示す段差形成部材１０２を用いた構成では、例えば厚さの薄い原稿が読取面に搬送された際に原稿搬送方向の先端側や後端側が原稿載置台の読取面に接触してしまう可能性がある。また、図６に示す用紙吸引部材１０４を用いた構成では、重量の重い原稿が搬送された際に用紙吸引部材１０４で吸引しても原稿を完全に読取面上から浮かせることができない可能性がある。そのため、読取面が原稿との接触によって汚損する虞がある。
【００１０】
さらに、読取面から原稿を完全に浮かせて搬送しても、原稿の搬送によって生じる紙粉等が読取面に付着する可能性がある。特に、原稿移動方式は、多くの枚数の原稿を自動で読み取らせることができるので、固定方式の原稿読取装置に比べ使用頻度が高く、原稿の搬送によって生じる紙粉等が生じ易い。
【００１１】
特許文献２の構成では、補正を行って読み取った原稿の画像情報に含まれる汚損による画像情報を除去しているが、読取面の汚損が酷い場合には正確な画像情報に補正することが困難である。また、補正の制御が複雑となる。
【００１２】
この発明の目的は、原稿載置台の読取面をクリーニングすることで、読取面の汚損による画像情報の読取精度の低下を防止することができる原稿読取装置を提供することにある。
【課題を解決するための手段】
【００１３】
この発明は、上記の課題を解決するために、以下の構成を備えている。
【００１４】
（１）透明な原稿載置台と、前記原稿載置台の読取面上を所定速度で移動する原稿の画像情報を該原稿載置台の読取面に対向する他面側から読み取る原稿読取手段と、を備えた原稿読取装置において、
前記原稿の主走査方向に直交する方向であって読取面に平行な方向に前記原稿載置台を移動させる移動手段と、
前記移動手段によって移動した前記原稿載置台の読取面をクリーニングするクリーニング手段と、を備えたことを特徴とする。
【００１５】
この構成においては、原稿載置台における読取面上を搬送される原稿の画像情報が他面側に位置する原稿読取手段によって原稿載置台を介して読み取られる。また、移動手段により読取面上の原稿の搬送方向に移動した原稿載置台の読取面がクリーニング手段によってクリーニングされる。
【００１６】
（２）前記原稿読取手段は、前記原稿の主走査方向に直交する方向であって前記読取面に平行な方向に移動自在であり、
前記移動手段は、前記原稿読取手段の移動力を前記原稿載置台に伝達する伝達機構と、前記原稿載置台を前記原稿読取手段の移動方向とは逆方向に付勢する復帰手段と、を備えたことを特徴とする。
【００１７】
この構成においては、作用方向が原稿載置台の移動方向と平行な原稿読取手段の移動力が伝達機構を介して原稿載置台に伝達される。また、復帰手段によって原稿載置台が原稿読取手段の移動力の作用方向とは逆方向に常に付勢されている。したがって、原稿載置台は原稿読取手段の移動力によって移動してクリーニングされ、原稿読取手段の移動力が伝達されなくなった際に復帰手段による付勢により元の位置に戻ってくる。
【００１８】
（３）前記復帰手段は、弾性部材であることを特徴とする。
【００１９】
この構成においては、原稿載置台を原稿読取手段の移動力の作用方向とは逆方向に付勢する復帰手段が弾性部材で構成されているので、構成が複雑になることがない。
【００２０】
（４）前記原稿読取手段は、原稿の画像情報の読み取りを行わない時に位置するホームポジションから原稿を読み取る際に前記原稿読取位置方向に移動し、
前記クリーニング手段は、前記ホームポジションに対して前記原稿読取位置側にあって前記原稿読取位置よりも該ホームポジションとの距離が離れていることを特徴とする。
【００２１】
この構成においては、クリーニング手段がホームポジションに対して原稿読取位置側にあって原稿読取位置よりもホームポジションとの距離が離れている。そのため、原稿読取の際にホームポジションから原稿読取位置方向に移動する原稿読取手段の移動力を伝達機構を介して原稿載置台に伝達する場合、原稿を移動させるべき方向と原稿読取手段の移動方向とが平行であるので、原稿載置台を移動させるべき方向と同方向に作用する移動力が伝達され易い。また、クリーニング手段の配置位置は、原稿読取位置よりもホームポジションとの距離が離れているので、原稿読取位置を超えてクリーニング手段の配置位置側にオーバーランする原稿読取手段の移動力を伝達する場合、原稿読取位置からクリーニング手段の配置位置側への原稿読取手段の移動は、原稿載置台を移動させるためのみの移動となるので伝達機構の構成が複雑になることがない。
【００２２】
（５）前記読取手段は、前記原稿読取位置を超えて前記クリーニング手段の配置位置側に移動する移動力を伝達機構を介して前記原稿載置台に伝達することを特徴とする。
【００２３】
この構成においては、原稿読取手段が原稿読取位置をオーバーランする際の移動力が原稿載置台に伝達されるので、原稿読取位置からクリーニング手段の配置位置側への原稿読取手段の移動は原稿載置台を移動させるためのみの移動となり、伝達機構の構成が複雑になることがない。例えば、原稿読取手段が原稿読取位置をオーバーランする際に原稿載置台と係合する係合部材を伝達機構に用いて原稿載置台を移動させる。したがって、伝達機構の構成が複雑になることがない。
【００２４】
（６）前記クリーニング手段は、前記移動手段によって移動した前記原稿載置台の読取面に当接する位置に配置されたブラシ又はフェルトで構成されたことを特徴とする。
【００２５】
この構成においては、移動手段によって移動した原稿載置台の読取面に当接する位置に配置されたブラシ又はフェルトでクリーニング手段が構成されるので、ブラシ又はフェルトが移動中の原稿載置台の読取面に当接して読取面が摺擦される。
【００２６】
（７）前記原稿の画像情報の読み取り開始の直前に前記移動手段を動作させる制御手段を備えたことを特徴とする。
【００２７】
この構成においては、原稿の画像情報の読み取りの開始の直前に原稿載置台の読取面のクリーニングが行われる。
【００２８】
（８）前記原稿の画像情報の読み取り終了直後に前記移動手段を動作させる制御手段を特徴とする。
【００２９】
この構成においては、原稿の画像情報の読み取り終了直後にクリーニングが行われる。
【００３０】
（９）前記原稿読取位置において前記読取手段によって前記原稿載置台に前記原稿がない状態で読み取られた画像情報に基づいて前記原稿読取位置における前記原稿載置台の読取面の汚損の有無を検出する検出手段を備え、
前記検出手段によって検出された結果に基づいて前記移動手段を動作させる制御手段を備えたことを特徴とする。
【００３１】
この構成においては、原稿読取位置上の読取面に付着した汚損の有無が原稿読取手段により読み取られた読取面の画像情報から検出される。また、汚損の有無に応じてクリーニングが行われる。
【発明の効果】
【００３２】
この発明によれば、以下の効果を奏することができる。
【００３３】
（１）原稿載置台を移動させて読取面をクリーニングすることによって、ユーザに負担をかけることなく読取面の汚損を確実に防止でき、原稿の画像情報の読取精度を維持することができる。
【００３４】
（２）原稿読取手段の移動力を伝達して原稿載置台を移動させることによって、移動手段に駆動手段を設ける必要がなく、移動手段の構成を単純にできるので、コストアップを抑制することができる。
【００３５】
（３）復帰手段を弾性部材で構成することによって、復帰手段を単純な構成にできるので、コストアップを抑制できる。また、弾性部材の反力で移動した原稿載置台が元の位置に復帰し易くなり、原稿搬送時のＪＡＭ発生、及び、ごみ等の原稿読取手段への飛散を未然に防止できる。
【００３６】
（４）クリーニング手段をホームポジションに対して原稿読取位置側であって、ホームポジションとの距離が離れている位置に配置することによって、伝達機構の構成を単純にできるので、コストアップを抑制することができる。
【００３７】
（５）原稿読取手段の原稿読取位置をオーバーランする際の移動力を原稿載置台に伝達することによって、伝達機構の構成をより単純にすることができ、コストアップを低減することができる。
【００３８】
（６）クリーニング手段を移動した原稿載置台の読取面に当接するブラシ又はフェルトで構成することによって、ブラシ又はフェルトが移動中の原稿載置台の読取面に当接して読取面を摺擦できるので、原稿載置台に付与された移動力を利用して単純な構成で容易に読取面をクリーニングすることができる。また、クリーニング手段を比較的安価なブラシ又はフェルトで構成するので、コストアップを抑制することができる。
【００３９】
（７）原稿の画像情報の読み取り開始の直前に原稿載置台の読取面のクリーニングを行うことによって、読取面の汚損を除去した状態で原稿の画像情報を読み取ることができるので、原稿の画像情報を正確に読み取ることができる。
【００４０】
（８）原稿の汚れは、付着して時間が経過すると乾燥して除去し難く、特にボールペンのインクや修正液等は、乾燥して固着してしまうと除去し難いが、原稿の画像情報の読み取り終了直後にクリーニングを行うことによって、原稿が原稿載置台の読取面を通過した直後に付着した汚れを容易に除去できる。
【００４１】
（９）原稿読取位置上の原稿載置台の読取面の汚損が生じた際に読取面のクリーニングを行うことによって、クリーニングする無駄な時間、回数を極力省くことができる。これにより、原稿の画像情報の読取時間の増加を抑制することができ、クリーニング手段の寿命を延ばすことができる。
【発明を実施するための最良の形態】
【００４２】
以下、この発明の最良の実施形態に係る画像形成装置を図面を参照しつつ詳細に説明する。
【００４３】
図１は、この発明の実施形態に係る原稿読取装置の簡単な構成を示す断面図である。原稿読取装置１は、本実施形態においてはディジタル複写機に組み込まれている。ディジタル複写機は、原稿読取装置１によって読み取られた原稿の画像情報に基づいて、又は、接続されたネットワークから受信した画像形成要求信号に基づいて記録媒体に画像形成を行う。
【００４４】
この発明の原稿読取装置１は、プラテンガラス１１ａ，１１ｂ、自動原稿搬送装置１２、第１走査体１３、第２走査体１４、読取光学部１５等から構成される。自動原稿搬送装置１２の下方に配置されたプラテンガラス１１ａ，１１ｂは、透明ガラスで構成されている。自動原稿搬送装置１２は、原稿載置トレイ１２ａ上に収納された原稿を自動的にプラテンガラス（本発明の原稿載置台に相当する。）１１ｂ上に給送する。原稿載置トレイ１２ａに複数枚の原稿が載置されている場合は、１枚ずつプラテンガラス１１ｂ上に給送する。
【００４５】
第１走査体１３は、フレーム１３Ｆ内に備えられた露光ランプ１３ａ及び第１反射ミラー１３ｂ等から構成されている。露光ランプ１３ａは、プラテンガラス１１ａ上に載置された原稿又は自動原稿搬送装置１２によってプラテンガラス１１ｂ上に搬送された原稿を露光する。第１反射ミラー１３ｂは、原稿から反射した画像光を後述する第２反射ミラーに入射させる。
【００４６】
第２走査体１４は、フレーム１４Ｆ内に備えられた第２反射ミラー１４ａ及び第３反射ミラー１４ｂ等から構成されている。第２反射ミラー１４ａは、第１反射ミラー１３ｂから入射する画像光を反射して第３反射ミラー１４ｂに入射させる。第３反射ミラー１４ｂは、第２反射ミラー１４ａから入射する画像光を反射して読取光学部１５を構成する結像レンズ１５ａに入射させる。読取光学部１５は、結像レンズ１５ａ及びＣＣＤ（ Charge Coupled Device ）１５ｂ等から構成され、原稿からの画像光を読み取る。結像レンズ１５ａは、第３反射ミラー１４ｂから入射された画像光をＣＣＤ１５ｂ上に結像する。ＣＣＤ１５ｂは、受光した画像光を光電変換する。
【００４７】
プラテンガラス１１ａ上に載置された原稿の原稿面を読み取る際、第１走査体１３は、後述する駆動手段によってプラテンガラス１１ａの面方向に沿って所定の移動速度Ｖで移動し、露光ランプ１３ａが原稿面を露光する。この時、第２走査体１４は、第１走査体１３の移動に連動してプラテンガラス１１ａの面方向に沿って移動速度Ｖ／２で移動しつつ第１走査体１３から入射される原稿面の画像光を結像レンズ１５ａに入射させる。第１走査体１３の移動速度Ｖに対して第２走査体１４の移動速度をＶ／２としたのは、原稿面からＣＣＤ１５ｂまでの光路Ｍの光路長を一定に保って正確に画像光を受光するためである。
【００４８】
一方、自動原稿搬送装置１２の原稿載置トレイ１２ａに収納されている原稿を読み取る際、第１走査体１３は、図１に示す所定の原稿読取位置Ｓ１に静止した状態で、原稿搬送路Ｒ上を経由して第１走査体１３に対向するプラテンガラス１１ｂ上に所定の速度で給送される原稿を露光する。露光された原稿は排紙トレイ１２ｂに載置される。この時、第２走査体１４も同様に原稿読取位置Ｓ２に静止した状態で第１走査体１３からの画像光を結像レンズ１５ａに入射させる。
【００４９】
また、原稿読取装置１には、プラテンガラス１１ａを挟んでプラテンガラス１１ｂに対向するようにシェーディング補正板１８が配置されている。シェーディング補正板１８は、公知のシェーディング補正を行う際に用いられる。
【００５０】
第１走査体１３及び第２走査体１４は、原稿の画像情報の読み取りを行わない時はこのシェーディング補正板１８の下方のホームポジションＨ１及びＨ２の位置で待機する。
【００５１】
図２は、この発明の実施形態に係る原稿読取装置の一部の構成を拡大した断面図である。また、図２（Ａ）は、原稿読取位置Ｓ１及びＳ２において第１走査体１３及び第２走査体１４がプラテンガラス１１ｂの読取面Ａ上を所定速度で搬送される原稿の画像情報を読み取る状態を示す。図２（Ｂ）は、第１操作体１３が原稿読取位置Ｓ１を超えて同図の右端にオーバーランした状態を示す図である。
【００５２】
図２に示すように、第１走査体１３は、フレーム１３Ｆのプラテンガラス１１ｂに対向する側に係合部材２０ａを備えている。プラテンガラス１１ａは、主走査方向に直交する方向の両端部に係合部材２ｂを備えている。なお、係合部材２０ａ，２０ｂが、この発明の伝達機構に相当する。また、プラテンガラス１１ｂは、係合部材２０ｂにより第１走査体１３の移動方向に平行に摺動自在に支持されている。さらに、プラテンガラス１１ｂの図の右側にはクリーニング手段３０が備えられている。クリーニング手段３０は、ブラシ３１等から構成され、プラテンガラス１１ｂの読取面Ａをクリーニングする。
【００５３】
原稿載置トレイ１２ａに載置された原稿の画像情報を読み取る際、ホームポジションＨ１及びＨ２で待機していた第１走査体１３及び第２走査体１４は、原稿読取位置Ｓ１及びＳ２に向かって移動を開始する。この時、第２走査体１４は原稿読取位置Ｓ２において停止するが、第１走査体１３は図２（Ｂ）に示すように原稿読取位置Ｓ１をオーバーランしてクリーニング手段３０の配置位置まで移動する。
【００５４】
この時、係合部材２０ａ，２０ｂが係合し、第１走査体１３の移動に伴ってプラテンガラス１１ｂが第１走査体１３の移動方向に平行に移動する。また、プラテンガラス１１ｂの移動方向上にはブラシ３１が配置されているので、プラテンガラス１１ｂの移動に伴って読取面Ａがブラシ３１によって摺擦され、読取面Ａの汚れが除去される。
【００５５】
これにより、読取面Ａの汚損を除去した状態で原稿の画像情報を読み取ることができるので、原稿の画像情報を正確に読み取ることができる。
【００５６】
また、上記の第１走査体１３をオーバーランさせる動作の制御は、制御部５０がドライバ４１を介して駆動手段４０を駆動することで行う。制御部５０は、ドライバ４１を介して駆動手段４０駆動して第１走査体１３及び第１走査体１３の連動して移動する第２走査体１４の移動動作を制御する。
【００５７】
なお、原稿の画像情報の読み取り終了直後に第１走査体１３をオーバーランさせて読取面Ａをクリーニングしてもよいし、原稿の画像情報の読み取り直前、読み取り終了直後の両方行ってもよい。原稿の画像情報読み取り終了直後に行うことにより、原稿が読取面Ａを通過した直後に付着した汚れを容易に除去できる。汚れは、付着して時間が経過すると乾燥して除去し難くなるからである。特に、ボールペンのインクや修正液等は、乾燥して固着してしまうと除去し難い。
【００５８】
また、読取面Ａ上に汚損が発生した際に行ってもよい。例えば、第１走査体１３、第２走査体１４、読取光学部１５を用いて読み取った予め汚損のない読取面Ａの画像情報を記憶手段等を設けて記憶させておく。制御部５０が原稿の画像情報の読み取りの直前に読み取った読取面Ａの画像情報と記憶手段に記憶している汚損のない読取面Ａの画像情報とを比較する。比較によって汚損があると判断した場合は、プラテンガラス１１ｂを移動させてクリーニングを行う。汚損がないと判断した場合は、クリーニングを行わない。なお、この例では、制御部５０が本発明の検出手段に相当する。
【００５９】
これにより、クリーニングする無駄な時間、回数を極力省くことができる。したがって、原稿の画像情報の読取時間の増加を抑制することができ、クリーニング手段３０の寿命を延ばすことができる。
【００６０】
その後、第１走査体１３は、原稿読取位置Ｓ１に移動開始する。その際、係合部２０ａ，２０ｂの係合が開放されるが、プラテンガラス１１ｂに当接されたこの発明の復帰手段である弾性部材２１（本実施形態では、ばねを用いる。）の弾性力によってプラテンガラス１１ｂも図２（Ａ）示す元の位置に戻る。
【００６１】
なお、ブラシ３１は、着脱自在に構成され、除去した汚れが堆積してきた場合等に交換できる。また、クリーニング手段３０の配置位置をホームポジションＨに対して原稿読取位置Ｓ側であって、原稿読取位置ＳよりもホームポジションＨとの距離が離れている位置に配置しているが、第１走査体１３、第２走査体１４等の原稿読取手段の移動力をプラテンガラス１１ｂに伝達できる構成を実現できる位置であればよい。
【００６２】
このように、原稿読取手段である第１走査体１３の原稿読取位置Ｓ１をオーバーランする際の移動力をプラテンガラス１１ｂに伝達しているので、係合部材２０ａ，２０ｂ及び弾性部材２１の単純な構成でプラテンガラス１１ｂを移動させることができ、コストアップを低減することができる。なお、係合部材２０ａ，２０ｂ及び弾性部材２１は、この発明の移動手段を構成する。
【００６３】
上述の構成によって、ユーザに負担をかけることなく読取面Ａの汚損を確実に防止でき、原稿の画像情報の読取精度を維持することができる。
【００６４】
また、第１走査体１３の移動力を伝達してプラテンガラス１１ｂを移動させることで、プラテンガラス１１ｂを移動させるための新たな駆動手段を設ける必要がなく、移動手段の構成を単純にできるので、コストアップを抑制することができる。
【００６５】
さらに、弾性部材２２を用いて本発明の復帰手段を構成しているので、復帰手段を単純な構成にでき、コストアップを抑制できる。また、弾性部材２２の反力で移動したプラテンガラス１１ｂを元の位置に復帰させ易くでき、原稿搬送時のＪＡＭ発生、及び、ごみ等の読取光学部１５への飛散を未然に防止できる。
【００６６】
しかも、移動したプラテンガラス１１ａの読取面Ａに当接するブラシ３１でクリーニング手段３０を構成することで、ブラシ３１が移動中のプラテンガラス１１ａの読取面Ａに当接して読取面を摺擦できるので、プラテンガラス１１ｂに付与された移動力を利用して単純な構成で容易に読取面Ａをクリーニングすることができる。また、クリーニング手段３０を比較的安価なブラシ３１を用いて構成しているのでコストアップを抑制することができる。なお、ブラシに限らず、フェルトを用いても同様の効果を得ることができる。
【００６７】
また、本発明の実施形態では、第１走査体１３の移動力を用いてプラテンガラス１１ｂを移動させているが、特にこれに限定されるものではなく、原稿を移動させる移動手段があればよい。
【００６８】
例えば、図３に示すような移動手段を７０を備えた構成がある。移動手段７０は、駆動手段７１、シャフト７２、カム７３、無端ベルト７４及び当接部材７５等から構成されている。駆動手段７１は、ドライバ４２を介して制御部５０に制御され、プラテンガラス１１ｂを移動させる駆動力をシャフト７２に伝達する。シャフト７２は、回転自在であり、駆動手段７１からの駆動力を無端ベルト７４を回転させてカム７３に伝達する。カム７３は、無端ベルト７４によって図３に示す矢印方向に回転し、駆動手段７１の駆動力を、読取面Ａ上の原稿の搬送方向の力に変換して当接部材７５に伝達する。当接部材７５は、摺動自在であってプラテンガラス１１ｂを支持し、カム７３から伝達された駆動力により読取面Ａ上の原稿の搬送方向に平行に移動する。それに伴って、プラテンガラス１１ｂも移動する。
【００６９】
また、図４に示すような移動手段を８０を備えた構成がある。移動手段８０は、駆動手段８１、シャフト８２、従動ローラ８３、無端ベルト８４及び支持部材８５等から構成されている。駆動手段８１は、ドライバ４３を介して制御部５０に制御され、プラテンガラス１１ｂを移動させる駆動力をシャフト８２に伝達する。シャフト８２は、回転自在であり、無端ベルト８４を回転させて駆動手段８１からの駆動力を支持部材８５に伝達する。従動ローラ８３は、無端ベルト８４の回転に従動する。支持部材８５は、摺動自在であってプラテンガラス１１ｂを支持し、突起部８５ａにおいて無端ベルト８４に固定されている。そのため、支持部材８５は、無端ベルト８４の回転により読取面Ａ上の原稿の搬送方向に平行に移動する。それに伴って、プラテンガラス１１ｂも移動する。
【００７０】
上述の例のように、プラテンガラス１１ｂを移動させる移動手段７０，８０を設けることによって、上述の第１走査体１３の移動力を用いてプラテンガラス１１ｂを移動させる構成と同様に、ユーザに負担をかけることなく読取面Ａの汚損を確実に防止でき、原稿の画像情報の読取精度を維持することができる。
【００７１】
なお、この発明の実施形態では、ディジタル複写機に組み込まれた原稿読取装置１を用いて説明しているが、特にこれに限定されるものではなく、スキャナ装置、ファクシミリ装置等の原稿読取装置でもよい。
【図面の簡単な説明】
【００７２】
【図１】この発明の実施形態に係る原稿読取装置の簡単な構成を示す断面図である。
【図２】同原稿読取装置の一部の構成を拡大した断面図である。
【図３】同原稿読取装置の一部の構成を拡大した断面図である。
【図４】同原稿読取装置の一部の構成を拡大した断面図である。
【図５】従来の原稿読取装置の一部の構成を拡大した断面図である。
【図６】従来の原稿読取装置の一部の構成を拡大した断面図である。
【符号の説明】
【００７３】
１−原稿読取装置
１１ｂ−プラテンガラス
１３−第１走査体
１４−第２走査体
１５−原稿読取部
２０ａ，２０ｂ−係合部材
２１−弾性部材
３０−クリーニング手段
３１−ブラシ
５０−制御部
７０−移動手段
８０−移動手段
Ａ−読取面
Ｓ１，Ｓ２−原稿読取位置
Ｈ１，Ｈ２−ホームポジション
【図１】
2005286586.tif 000003
【図２】
2005286586.tif 000004
【図３】
2005286586.tif 000005
【図４】
2005286586.tif 000006
【図５】
2005286586.tif 000007
【図６】
2005286586.tif 000008